(57)【要約】      （修正有）【課題】広角端での半画角が大きいと共に、望遠端への変倍比が大きいズーム光学系及びそれを備えた撮像装置を提供する。【解決手段】ズーム光学系は、物体側から像側へ順に、負の屈折力の第１レンズ群Ｇ１と、正の屈折力の第２レンズ群Ｇ２と、正の屈折力の第３レンズ群Ｇ３と、を備え、少なくとも第１レンズ群Ｇ１及び第２レンズ群Ｇ２を移動させてズーミングを行い、広角端に比べ望遠端での第１レンズ群Ｇ１と第２レンズ群Ｇ２との間隔が小さく、第２レンズ群Ｇ２と第３レンズ群Ｇ３との間隔が大きくなるように移動させ、第１レンズ群Ｇ１は、物体側から像側へ順に、物体側に凸面を向けた負メニスカスレンズＬ１１と、負レンズＬ１２と、を有し、広角端で９０°以上の半画角を有し、ｆｗを広角端の焦点距離、ｆｔを望遠端の焦点距離とするとき、２＜ｆt／ｆwを満足する。【選択図】図１
2012194238.tif 000002
【特許請求の範囲】
【請求項１】
物体側から像側へ順に、
負の屈折力の第１レンズ群Ｇ１と、
正の屈折力の第２レンズ群Ｇ２と、
正の屈折力の第３レンズ群Ｇ３と、
を備え、
少なくとも第１レンズ群及び第２レンズ群を移動させてズーミングを行い、
広角端に比べ望遠端での第１レンズ群と第２レンズ群との間隔が小さくなると共に、
広角端に比べ望遠端での第２レンズ群と第３レンズ群との間隔が大きくなるように、
第１レンズ群は、物体側から像側へ順に、物体側に凸面を向けた負メニスカスレンズと、負レンズと、を有し、広角端で９０°以上の半画角を有し、
以下の条件式（１）を満足することを特徴とするズーム光学系。
２＜ｆt／ｆw                                        ・・・（１）
ただし、
ｆｗは広角端の焦点距離、
ｆｔは望遠端の焦点距離、
である。
【請求項２】
以下の条件式（２）を満足することを特徴とする請求項１に記載のズーム光学系。
４＜ｄ１／ｆｗ                                      ・・・（２）
ただし、ｄ１は第１レンズ群と第２レンズ群との間隔の変化量である。
【請求項３】
以下の条件式（３）を満足することを特徴とする請求項１に記載のズーム光学系。
７＜ｄ１／ｆｗ                                      ・・・（３）
ただし、ｄ１は第１レンズ群と第２レンズ群との間隔の変化量である。
【請求項４】
以下の条件式（４）を満足することを特徴とする請求項１に記載のズーム光学系。
ｄ２／ｆｗ＜−３                                    ・・・（４）
ただし、ｄ２は第２レンズ群と第３レンズ群との間隔の変化量である。
【請求項５】
以下の条件式（５）を満足することを特徴とする請求項１に記載のズーム光学系。
ｄ２／ｆｗ＜−５                                    ・・・（５）
ただし、ｄ２は第２レンズ群と第３レンズ群との間隔の変化量である。
【請求項６】
請求項１乃至請求項５の何れか１項に記載のズーム光学系と、
光学像を電気信号に変換する撮像面を持つ撮像素子と、
を備えたことを特徴とする撮像装置。
【発明の詳細な説明】
【技術分野】
【０００１】
本発明は、ズーム比が大きく広画角なズーム光学系に関する。更には、ズーム光学系を備えた撮像装置に関するものである。
【背景技術】
【０００２】
従来、広画角のレンズから望遠側に変倍するズームレンズが開示されている。
【先行技術文献】
【特許文献】
【０００３】
【特許文献１】特許３３１５８３９号公報
【特許文献２】特許３７０９０００号公報
【特許文献３】特開平８−１７１０５３号公報
【特許文献４】特開２００７−９４３７１号公報
【特許文献５】特開２００９−１０３７９０号公報
【特許文献６】特開２００９−２７１１６５号公報
【発明の概要】
【発明が解決しようとする課題】
【０００４】
しかしながら、特許文献１〜６に開示されたズームレンズは、変倍比が小さく、ズームレンズとしての機能は十分ではなかった。
【０００５】
本願発明は、上述の課題に鑑みてなされたものであり、広角端での半画角が大きいと共に、望遠端への変倍比が大きいズーム光学系を提供することを目的とするものである。さらには、そのようなズーム光学系を備えた撮像装置を提供することを目的としている。
【課題を解決するための手段】
【０００６】
上記課題を解決するために、本発明に係るズーム光学系は、以下のものである。
【０００７】
ズーム光学系は、物体側から像側へ順に、負の屈折力の第１レンズ群と、正の屈折力の第２レンズ群、正の屈折力の第３レンズ群と、を備え、少なくとも第１レンズ群及び第２レンズ群を移動させてズーミングを行い、広角端に比べ望遠端での第１レンズ群と第２レンズ群との間隔が小さくなると共に、広角端に比べ望遠端での第２レンズ群と第３レンズ群との間隔が大きくなるように、第１レンズ群は、物体側から像側へ順に、物体側に凸面を向けた負メニスカスレンズと、負レンズと、を有し、広角端で９０°以上の半画角を有し、以下の条件式（１）を満足することを特徴とする。
２＜ｆt／ｆw                                        ・・・（１）
ただし、ｆｗは広角端の焦点距離、ｆｔは望遠端の焦点距離、である。
【０００８】
また、以下の条件式（２）を満足することを特徴とする。
４＜ｄ１／ｆｗ                                      ・・・（２）
ただし、ｄ１は第１レンズ群と第２レンズ群との間隔の変化量である。
【０００９】
さらに、以下の条件式（３）を満足することを特徴とする。
７＜ｄ１／ｆｗ                                      ・・・（３）
ただし、ｄ１は第１レンズ群と第２レンズ群との間隔の変化量である。
【００１０】
また、以下の条件式（４）を満足することを特徴とする。
ｄ２／ｆｗ＜−３                                    ・・・（４）
ただし、ｄ２は第２レンズ群と第３レンズ群との間隔の変化量である。
【００１１】
さらに、以下の条件式（５）を満足することを特徴とする。
ｄ２／ｆｗ＜−５                                    ・・・（５）
ただし、ｄ２は第２レンズ群と第３レンズ群との間隔の変化量である。
【００１２】
さらに、撮像装置は、前記ズーム光学系と、光学像を電気信号に変換する撮像面を持つ撮像素子と、を備えたことを特徴とする。
【発明の効果】
【００１３】
本発明によれば、広角端での半画角が大きいと共に、望遠端への変倍比が大きいズーム光学系を提供することが可能となる。
【図面の簡単な説明】
【００１４】
【図１】実施例１のズームレンズを展開して光軸に沿ってとった断面図である。
【図２】実施例２のズームレンズを展開して光軸に沿ってとった断面図である。
【図３】実施例３のズームレンズを展開して光軸に沿ってとった断面図である。
【図４】実施例１のズームレンズの収差図である。
【図５】実施例２のズームレンズの収差図である。
【図６】実施例３のズームレンズの収差図である。
【図７】本実施形態のズームレンズを交換レンズとして用いた撮像装置の断面図である。
【図８】本実施形態のデジタルカメラの外観を示す前方斜視図である。
【図９】本実施形態のデジタルカメラの外観を示す後方斜視図である。
【図１０】本実施形態のデジタルカメラの制御構成を示すブロック図である。
【発明を実施するための形態】
【００１５】
以下、実施例に基づいて本発明のズーム光学系について説明する。
【００１６】
図１は、実施形態のズーム光学系の実施例１を示す図である。
【００１７】
本実施形態のズーム光学系は、物体側から像側へ順に、負の屈折力の第１レンズ群Ｇ１と、正の屈折力の第２レンズ群Ｇ２と、正の屈折力の第３レンズ群Ｇ３と、を備え、  少なくとも第１レンズ群Ｇ１及び第２レンズ群Ｇ２を移動させてズーミングを行い、広角端に比べ望遠端での第１レンズ群Ｇ１と第２レンズ群Ｇ２との間隔が小さくなると共に、広角端に比べ望遠端での第２レンズ群Ｇ２と第３レンズ群Ｇ３との間隔が大きくなるように、第１レンズ群Ｇ１は、物体側から像側へ順に、物体側に凸面を向けた負メニスカスレンズＬ１１と、負レンズＬ１２と、を有し、広角端で９０°以上の半画角を有し、以下の条件式（１）を満足すると好ましい。
２＜ｆt／ｆw                                        ・・・（１）
ただし、
ｆｗは広角端の焦点距離、
ｆｔは望遠端の焦点距離、
である。
【００１８】
条件式（１）は、所定のズーム比を規定するものである。条件式（１）の下限を下回ると、広角端から望遠端への変倍比が小さく、臨場感がある映像を撮影することが困難となる。
【００１９】
また、以下の条件式（２）を満足すると好ましい。
４＜ｄ１／ｆｗ                                      ・・・（２）
ただし、ｄ１は第１レンズ群Ｇ１と第２レンズ群Ｇ２との間隔の変化量である。
【００２０】
条件式（２）は、強い負の第１レンズ群Ｇ１と正の第２レンズ群Ｇ２の群間隔の変化量である。条件式（２）の下限を下回ると、第１レンズ群Ｇ１の負の屈折力が強くなりすぎて、映像周辺の収差が大きくなると同時に、第２レンズ群Ｇ２で発生する球面収差が大きくなり、他のレンズ群で補正することができなくなる。
【００２１】
さらに、以下の条件式（３）を満足すると好ましい。
７＜ｄ１／ｆｗ                                      ・・・（３）
ただし、ｄ１は第１レンズ群と第２レンズ群との間隔の変化量である。
【００２２】
特に、５倍以上の変倍比にする場合には条件式（３）を満足することが好ましい。条件式（３）の下限を下回ると、第１レンズ群Ｇ１の負の屈折力が強くなり、映像周辺の収差が出ると同時に、第２レンズ群Ｇ２で発生する球面収差が出て、他のレンズ群で補正することが困難となる。
【００２３】
また、以下の条件式（４）を満足すると好ましい。
ｄ２／ｆｗ＜−３                                    ・・・（４）
ただし、ｄ２は第２レンズ群と第３レンズ群との間隔の変化量である。
【００２４】
条件式（４）は、第２レンズ群Ｇ２と第３レンズ群Ｇ３の群間隔の変化量を規定する条件で、広角端から望遠端に離れる方向に変化するので、負の値になる。条件式（４）の上限を上回ると、第２レンズ群Ｇ２の屈折力が強くなりすぎて、第２レンズ群Ｇ２で発生する球面収差を補正できなくなる。
【００２５】
さらに、以下の条件式（５）を満足すると好ましい。
ｄ２／ｆｗ＜−５                                    ・・・（５）
ただし、ｄ２は第２レンズ群と第３レンズ群との間隔の変化量である。
【００２６】
特に、５倍以上の変倍比にする場合には条件式（５）を満足することが好ましい。条件式（５）の上限を上回ると、第２レンズ群Ｇ２の屈折力が強くなって、第２レンズ群Ｇ２で発生する球面収差を補正することが困難となる。
【００２７】
以下に示す各実施例は、クイックリターンミラーのないカメラ本体に装着する交換レンズに用い、動画撮影が可能なズームレンズとなっている。
【００２８】
本発明の実施例１〜実施例３のズーム光学系について図を用いて説明する。図１〜図３は、本発明の実施例１〜実施例３のズーム光学系を展開して光軸に沿ってとった断面図である。各図において（ａ）は広角端（ＷＥ）、（ｂ）は中間状態（ＳＴ）、（ｃ）は望遠端（ＴＥ）を示している。
【００２９】
図１は、実施例１のズーム光学系の断面図である。
【００３０】
実施例１のズーム光学系は、図に示すように物体側から像側に順に、負屈折力の第１レンズ群Ｇ１、正屈折力の第２レンズ群Ｇ２、正屈折力の第３レンズ群Ｇ３、にて構成されている。図中、Ｓは明るさ絞り、Ｉは像面、Ｃはカバーガラスを示している。
【００３１】
第１レンズ群Ｇ１は、物体側から像側に順に、物体側に凸面を向けた負メニスカスレンズＬ１１と、物体側に凸面を向けた負メニスカスレンズＬ１２と、両凹負レンズＬ１３と両凸正レンズＬ１４の接合レンズＳＵ１１と、両凹負レンズＬ１５と、からなる。
【００３２】
第２レンズ群Ｇ２は、物体側から像側に順に、両凸正レンズＬ２１と、両凸正レンズＬ２２と両凹負レンズＬ２３の接合レンズＳＵ２１と、両凹負レンズＬ２４と両凸正レンズＬ２５の接合レンズＳＵ２２と、両凸正レンズＬ２６と、からなる。なお、第２レンズ群Ｇ２の物体側の接合レンズＳＵ２１と像側の接合レンズＳＵ２２の間には、明るさ絞りＳが配置されている。
【００３３】
第３レンズ群Ｇ３は、物体側から像側に順に、両凹負レンズＬ３１と、両凸正レンズＬ３２と、両凸正レンズＬ３３と、からなる。
【００３４】
実施例１のズーム光学系の動作について説明する。ズーム動作において、第１レンズ群Ｇ１、第２レンズ群Ｇ２、及び第３レンズ群Ｇ３は独立して移動する。明るさ絞りＳは、第２レンズ群Ｇ２と共に移動する。
【００３５】
広角端から望遠端へと変倍する際、各レンズ群は以下のように移動する。
【００３６】
第１レンズ群Ｇ１は、広角端から中間状態まで第２レンズ群Ｇ２との間隔を狭めながら像側に移動し、中間状態から望遠端まで、第２レンズ群Ｇ２との間隔を狭めながら物体側へ移動する。
【００３７】
第２レンズ群Ｇ２は、広角端から望遠端まで、第１レンズ群Ｇ１との間隔を狭め、第３レンズ群Ｇ３との間隔を広げながら物体側へ移動する。
【００３８】
第３レンズ群Ｇ３は、広角端から中間状態まで第２レンズ群Ｇ２との間隔を広げながら像側に移動し、中間状態から望遠端まで、第２レンズ群Ｇ２との間隔を広げながら物体側へ移動する。
【００３９】
図２は、実施例２のズーム光学系の断面図である。
【００４０】
実施例２のズーム光学系は、図に示すように物体側から像側に順に、負屈折力の第１レンズ群Ｇ１、正屈折力の第２レンズ群Ｇ２、正屈折力の第３レンズ群Ｇ３、にて構成されている。図中、Ｓは明るさ絞り、Ｉは像面、Ｃはカバーガラスを示している。
【００４１】
第１レンズ群Ｇ１は、物体側から像側に順に、物体側に凸面を向けた負メニスカスレンズＬ１１と、両凹負レンズＬ１２と、両凹負レンズＬ１３と物体側に凸面を向けた正メニスカスレンズＬ１４の接合レンズＳＵ１１と、からなる。
【００４２】
第２レンズ群Ｇ２は、物体側から像側に順に、両凸正レンズＬ２１と、両凸正レンズＬ２２と両凹負レンズＬ２３の接合レンズＳＵ２１と、両凹負レンズＬ２４と両凸正レンズＬ２５の接合レンズＳＵ２２と、両凸正レンズＬ２６と、からなる。なお、第２レンズ群Ｇ２の物体側の接合レンズＳＵ２１と像側の接合レンズＳＵ２２の間には、明るさ絞りＳが配置されている。
【００４３】
第３レンズ群Ｇ３は、物体側から像側に順に、両凹負レンズＬ３１と両凸正レンズＬ３２の接合レンズＳＵ３１と、物体側に凸面を向けた負メニスカスレンズＬ３３と、両凸正レンズＬ３４と、両凸正レンズＬ３４と、からなる。
【００４４】
実施例２のズーム光学系の動作について説明する。ズーム動作において、第１レンズ群Ｇ１、第２レンズ群Ｇ２、及び第３レンズ群Ｇ３は独立して移動する。明るさ絞りＳは、第２レンズ群Ｇ２と共に移動する。
【００４５】
広角端から望遠端へと変倍する際、各レンズ群は以下のように移動する。
【００４６】
第１レンズ群Ｇ１は、広角端から中間状態まで第２レンズ群Ｇ２との間隔を狭めながら像側に移動し、中間状態から望遠端まで、第２レンズ群Ｇ２との間隔を狭めながら物体側へ移動する。
【００４７】
第２レンズ群Ｇ２は、広角端から望遠端まで、第１レンズ群Ｇ１との間隔を狭め、第３レンズ群Ｇ３との間隔を広げながら物体側へ移動する。
【００４８】
第３レンズ群Ｇ３は、広角端から中間状態まで第２レンズ群Ｇ２との間隔を広げながら像側に移動し、中間状態から望遠端まで、第２レンズ群Ｇ２との間隔を広げながら物体側へ移動する。
【００４９】
実施例３のズーム光学系は、図に示すように物体側から像側に順に、負屈折力の第１レンズ群Ｇ１、正屈折力の第２レンズ群Ｇ２、正屈折力の第３レンズ群Ｇ３、にて構成されている。図中、Ｓは明るさ絞り、Ｉは像面、Ｃはカバーガラスを示している。
【００５０】
第１レンズ群Ｇ１は、物体側から像側に順に、物体側に凸面を向けた負メニスカスレンズＬ１１と、物体側に凸面を向けた負メニスカスレンズＬ１２と、両凹負レンズＬ１３と物体側に凸面を向けた正メニスカスレンズＬ１４の接合レンズＳＵ１１と、からなる。
【００５１】
第２レンズ群Ｇ２は、物体側から像側に順に、両凸正レンズＬ２１と、両凸正レンズＬ２２と両凹負レンズＬ２３の接合レンズＳＵ２１と、物体側に凸面を向けた負メニスカスレンズＬ２４と両凸正レンズＬ２５の接合レンズＳＵ２２と、物体側に凸面を向けた平凸正レンズＬ２６と、からなる。なお、第２レンズ群Ｇ２の物体側の接合レンズＳＵ２１と像側の接合レンズＳＵ２２の間には、明るさ絞りＳが配置されている。
【００５２】
第３レンズ群Ｇ３は、物体側から像側に順に、像側に凸面を向けた負メニスカスレンズＬ３１と、像側に凸面を向けた負メニスカスレンズＬ３２と、両凸正レンズＬ３３と、物体側に凸面を向けた負メニスカスレンズＬ３４と、物体側に凸面を向けた正メニスカスレンズＬ３５と、物体側に凸面を向けた正メニスカスレンズＬ３６と、からなる。
【００５３】
実施例３のズーム光学系の動作について説明する。ズーム動作において、第３レンズ群Ｇ３は、固定され、第１レンズ群Ｇ１及び第２レンズ群Ｇ２は独立して移動する。明るさ絞りＳは、第２レンズ群Ｇ２と共に移動する。
【００５４】
広角端から望遠端へと変倍する際、各レンズ群は以下のように移動する。
【００５５】
第１レンズ群Ｇ１は、広角端から中間状態まで第２レンズ群Ｇ２との間隔を狭めながら像側に移動し、中間状態から望遠端まで、第２レンズ群Ｇ２との間隔を狭めながら物体側へ移動する。
【００５６】
第２レンズ群Ｇ２は、広角端から望遠端まで、第１レンズ群Ｇ１との間隔を狭め、第３レンズ群Ｇ３との間隔を広げながら物体側へ移動する。
【００５７】
以下に上記実施例１〜実施例３の各種数値データ（面データ、ズームデータ、群焦点距離）を示す。
【００５８】
面データには、面番号毎に各レンズ面（光学面）の曲率半径ｒ、面間隔ｄ、各レンズ（光学媒質）のｄ線（５８７．６ｎｍ）に対する屈折率ｎｄ、各レンズ（光学媒質）のｄ線のアッベ数νｄが示されている。曲率半径ｒ、面間隔ｄの単位はいずれもミリメートル（ｍｍ）である。面データ中、曲率半径に記載する“∞”は、無限大であることを示している。
【００５９】
ズームデータには、広角端（ＷＥ）、中間（ＳＴ）、望遠端（ＴＥ）における各種ズームデータが示されている。ズームデータとしては、焦点距離、Ｆナンバー（Ｆno）、画角（２ω）、像高、バックフォーカス（ＢＦ）、全長、可変する面間隔ｄが示されている。群小点距離には、第１〜第３レンズ群における焦点距離ｆ１〜ｆ３が示されている。
【００６０】
数値実施例１
面データ
面番号              ｒ          ｄ        ｎｄ       νｄ
物体面              ∞          ∞
1               74.68        3.00     1.8499      43.0
2               18.67       14.37
3               68.49        3.00     1.8498      43.0
4               31.81        6.92
5              -61.81        3.00     1.4875      70.4
6               21.07       11.00     1.7505      32.9
7             -213.53        0.21
8             -153.55        2.00     1.6943      49.4
9               58.88        d9（可変）
10               46.05        3.00     1.7440      44.8
11              -53.62        0.20
12               19.91        3.84     1.6201      36.3
13              -24.21        1.50     1.7527      28.1
14               22.90        0.76
15（絞り）        ∞          9.99
16             -398.08        2.00     1.7522      30.6
17               22.39        5.50     1.4876      70.4
18              -39.43        2.65
19               32.63        5.00     1.7381      42.3
20             -181.22        d20（可変）
21              -30.03        1.50     1.7460      28.0
22               32.75        1.40
23               74.88        5.50     1.6204      60.3
24              -37.14        0.20
25               34.14        4.50     1.6644      53.0
26             -134.27        d26（可変）
27                ∞          0.42     1.5168      64.2
28                ∞          2.00
像  面              ∞
ズームデータ
ＷＥ        ＳＴ         ＴＥ
ｆ                     7.629       11.091       19.848
Fno                    2.933        3.260        4.000
ω                    92.529       61.686       30.843
像高                  12.029
fb (in air)            6.796        6.761        9.838
全長 (in air)        140.000      129.063      130.022
d9                    35.486       17.875        0.1
d20                    6.262       12.971       28.628
d26                    6.796        6.761        9.838
群焦点距離
ｆ１       -13.377
ｆ２        28.900
ｆ３       137.284
【００６１】
数値実施例２
面データ
面番号              ｒ          ｄ        ｎｄ       νｄ
物体面              ∞          ∞
1               76.45        3.00     1.8499      43.0
2               19.11       18.54
3             -459.26        3.00     1.8498      43.0
4               75.59        4.29
5              -77.90        2.50     1.4875      70.4
6               22.51        7.23     1.7551      27.6
7               61.32        d7（可変）
8               66.99        3.50     1.6829      34.0
9              -54.43        0.20
10               26.83        5.85     1.5931      39.5
11              -26.37        1.50     1.7530      29.8
12               35.65        1.43
13（絞り）        ∞          6.55
14             -590.33        2.00     1.7552      27.6
15               28.53        7.00     1.4875      70.4
16              -34.54        6.47
17               43.55        5.00     1.6139      43.4
18             -145.82        d18（可変）
19              -70.32        2.00     1.7440      44.8
20               19.85        4.97     1.6567      54.1
21             -125.10        0.23
22               65.95        2.00     1.7523      30.6
23               25.76        8.96
24               72.09        5.50     1.4875      70.4
25              -71.79        0.20
26               40.08        5.50     1.4875      70.4
27             -211.23        d27（可変）
28                ∞          0.42     1.5168      64.2
29                ∞          2.00
像  面              ∞
ズームデータ
ＷＥ        ＳＴ        ＴＥ
ｆ                      7.7487     16.238      35.162
Fno                     2.174       2.768       4.000
ω                     92.529      41.124      18.506
像高                   12.029
fb (in air)             9.812       9.204      11.299
全長 (in air)         169.768     144.765     159.398
d7                     61.935      20.746       0.090
d18                     0.421      16.607      51.900
d27                     9.812       9.204      11.299
群焦点距離
ｆ１      -14.517
ｆ２       33.976
ｆ３      100.860
【００６２】
数値実施例３
面データ
面番号              ｒ          ｄ        ｎｄ      νｄ
物体面              ∞          ∞
1              128.83        3.00     1.8499      43.0
2               32.21       12.96
3              419.13        3.00     1.8498      43.0
4              103.40        9.85
5              -45.39        1.00     1.4875      70.4
6               29.30        7.12     1.7552      27.6
7               54.89        d7（可変）
8               42.44        7.21     1.5563      45.7
9             -100.84        0.10
10               38.12       11.02     1.4875      70.4
11              -34.90        1.00     1.7440      44.8
12               48.79        3.33
13（絞り）        ∞          0.32
14              164.54        1.00     1.7539      28.8
15               34.34       11.72     1.4875      70.4
16              -42.81        0.10
17               51.32        6.29     1.6534      35.1
18                ∞          d18（可変）
19              -22.91        1.00     1.7475      37.4
20              -41.61        0.10
21             -267.94       12.51     1.4875      70.4
22              -33.15        0.10
23               50.82        7.42     1.4875      70.4
24              -79.31        0.10
25               27.56        1.00     1.7552      27.6
26               14.94        4.38
27               35.20       11.01     1.5335      65.9
28              131.93        0.10
29               18.78        4.23     1.4875      70.4
30               30.69        2.65
31                ∞          0.42     1.5168      64.2
32                ∞          3.00
像  面              ∞
ズームデータ
ＷＥ        ＳＴ        ＴＥ
ｆ                     8.2159      12.4308      73.8851
Fno                    2.737        1.746        4.070
ω                    92.529       50.120        7.711
像高                  12.029
fb (in air)            2.645         2.645        2.645
全長 (in air)        190.931       176.776      296.935
d7                    64.970       39.972        0.100
d18                    5.000       15.842      175.873
群焦点距離
ｆ１      -18.837
ｆ２       25.188
ｆ３       53.339
【００６３】
図４〜図６は、実施例１〜実施例３における（ａ）広角端（ＷＥ）、（ｂ）中間（ＳＴ）、（ｃ）望遠端（ＴＥ）での無限物点における諸収差図である。
【００６４】
これら諸収差図において、ＳＡは球面収差、ＡＳは非点収差、ＤＴは歪曲収差を示す。球面収差ＳＡは、５８７．６ｎｍ（ｄ線：破線）、４３５．８ｎｍ（ｇ線：一点鎖線）、６５６．３ｎｍ（Ｃ線：実線）の各波長について示されている。また、非点収差ＡＳは、実線がサジタル像面、破線がメリジオナル像面のものを示している。なお、ＦＮＯはＦナンバーを、ＦＩＹは最大像高を示す。
【００６５】
上記実施例１〜３について、各条件式（１）〜（３）の値を下記に示しておく。
【００６６】
実施例１       実施例２        実施例３  
条件式（１）        2.602          4.538           8.993    
条件式（２）        4.638          7.981           7.896    
条件式（３）       -2.932         -6.643         -20.798    
【００６７】
図７は、本実施形態のズームレンズを用い、撮像素子として小型のＣＣＤ又はＣＭＯＳなどを用いた撮像装置としての一眼ミラーレスカメラの断面図である。図７において、１は一眼ミラーレスカメラ、２は鏡筒内に配置された撮像レンズ系、３は撮像レンズ系２を一眼ミラーレスカメラ１に着脱可能とする鏡筒のマウント部であり、スクリュータイプやバヨネットタイプ等のマウントが用いられる。この例では、バヨネットタイプのマウントを使用している。また、４は撮像素子面、５はバックモニタである。
【００６８】
このような構成の一眼ミラーレスカメラ１の撮像レンズ系２として、例えば上記実施例１〜７に示した本実施形態のズームレンズが用いられる。
【００６９】
図８、図９は、ズームレンズを撮影光学系４１に組み込んだ、本実施形態の撮像装置の構成の概念図を示す。図８は撮像装置としてのデジタルカメラ４０の外観を示す前方斜視図、図９は同背面斜視図である。
【００７０】
この実施形態のデジタルカメラ４０は、撮影用光路４２上に位置する撮影光学系４１、シャッターボタン４５、液晶表示モニタ４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が結像面近傍に設けられた撮像素子（光電変換面）上に形成される。この撮像素子で受光された物体像は、処理手段によって電子画像としてカメラ背面に設けられた液晶表示モニタ４７に表示される。また、撮影された電子画像は記録手段に記録することができる。
【００７１】
図１０は、本実施形態のデジタルカメラ４０の主要部の内部回路を示すブロック図である。なお、以下の説明では、前述した処理手段５１は、例えば、ＣＤＳ／ＡＤＣ部２４、一時記憶メモリ１７、画像処理部１８等で構成され、記憶手段５２は、記憶媒体部等で構成される。
【００７２】
図１０に示されるように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【００７３】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【００７４】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムに従って、デジタルカメラ４０全体を制御する。
【００７５】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【００７６】
ＣＤＳ／ＡＤＣ部２４は、ＣＣＤ４９から入力される電気信号を増幅し、かつ、アナログ／デジタル変換を行って、この増幅とデジタル変換を行っただけの映像生データ（ベイヤーデータ、以下ＲＡＷデータという。）を一時メモリ１７に出力する回路である。
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【００７７】
記憶媒体部１９は、例えばフラッシュメモリ等からなるカード型又はスティック型の記憶媒体を着脱自在に装着して、これらのフラッシュメモリに、一時記憶メモリ１７から転送されるＲＡＷデータや画像処理部１８で画像処理された画像データを記録して保持する。
【００７８】
表示部２０は、液晶表示モニタ４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【００７９】
このように構成されたデジタルカメラ４０は、撮像光学系４１として本発明のズームレンズを採用することで、小型で動画撮像に適した撮像装置とすることが可能となる。
【００８０】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００８１】
１…レンズ交換式カメラ
２…撮像レンズ系
３…マウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニタ
【図１】
2012194238.tif 000003
【図２】
2012194238.tif 000004
【図３】
2012194238.tif 000005
【図４】
2012194238.tif 000006
【図５】
2012194238.tif 000007
【図６】
2012194238.tif 000008
【図７】
2012194238.tif 000009
【図８】
2012194238.tif 000010
【図９】
2012194238.tif 000011
【図１０】
2012194238.tif 000012